(57)【要約】【課題】書類の収納空間を二個所とし、しかも収納体などの構成部材を一体として一度に合成樹脂成形することのできる書類収納ケースを提供する。【解決手段】枠内に仕切体１Ａを設けた四角枠１の一側部１ａに上蓋２をヒンジ部３を介して連設すると共に、前記四角枠１の他側部１ｂに下蓋４をヒンジ部３を介して連設するようにして、これら四角枠１、上蓋２、ヒンジ部３、下蓋４を合成樹脂の一体成形体とし、前記ヒンジ部３により、前記四角枠１の上方を上蓋２で開閉自在とし、前記四角枠１の下方を下蓋４で開閉自在としたものとし、内部に上収納空間Ｓａおよび下収納空間Ｓｂを形成したものとしている。【選択図】図２
2014065280.tif 000002
【特許請求の範囲】
【請求項１】
枠内に仕切体（１Ａ）を設けた四角枠（１）の一側部（１ａ）に上蓋（２）をヒンジ部（３）を介して連設すると共に、前記四角枠（１）の他側部（１ｂ）に下蓋（４）をヒンジ部（３）を介して連設するようにして、これら四角枠（１）、上蓋（２）、ヒンジ部（３）、下蓋（４）を合成樹脂の一体成形体とし、前記ヒンジ部（３）により、前記四角枠（１）の上方を上蓋（２）で開閉自在とし、前記四角枠（１）の下方を下蓋（４）で開閉自在としたものとし、内部に上収納空間（Ｓａ）および下収納空間（Ｓｂ）を形成したことを特徴とする書類収納ケース。
【請求項２】
前記四角枠（１）の内側四隅には、前記仕切体（１Ａ）との間に位置するように係止爪（５）を設けたことを特徴とする請求項１記載の書類収納ケース。
【請求項３】
前記四角枠（１）には、両外側部の対称位置に凹部（６）を設け、これら凹部（６）にそれぞれ係止部（７）を設けたものとし、前記上蓋（２）、下蓋（４）には、それぞれの両外側部の対称位置に凹部（９）を設け、これら凹部（９）にそれぞれ係止体（８）を設けたものとして、前記係止部（７）と係止体（８）とを係脱自在としたことを特徴とする請求項１記載の書類収納ケース。
【発明の詳細な説明】
【技術分野】
【０００１】
この発明は、各種の大きさの書類や定型の書類を収納できるようにした書類収納ケースに関するものである。
【背景技術】
【０００２】
従来、この種の書類収納ケースは、例えば、図８、９に示したようなものが存在する。この書類収納ケースは、同一形状として形成すると共に、定型サイズの書類より一回り大きく形成した浅底の合成樹脂製の両収納体２１、２１を重ね合わせると共に、見開き自在に構成している。
【０００３】
そして、前記両収納体２１、２１は、見開き自在にするため、一側部どうしをヒンジ２２によりそれぞれ連結したものとしている。また、前記両収納体２１、２１は、他側部どうしを係合体２３により係脱自在に係合したものとしている。
【０００４】
このように構成した従来の書類収納ケースは、両収納体２１、２１を同一形状としているため、合成樹脂成形する場合の成形型が共通となり、製造コストが安くなるとしている（特許文献１）。
【先行技術文献】
【特許文献】
【０００５】
【特許文献１】特開平１１−１２９６６４号公報
【発明の概要】
【発明が解決しようとする課題】
【０００６】
しかしながら、上記従来の書類収納ケースでは、両収納体２１、２１を重ね合わせた内部には収納空間が一個所しか形成されていないため、書類を区分けして収納したい場合や、多くの書類を収納したい場合などには不適当であるという課題を有していた。
【０００７】
さらに、上記従来の書類収納ケースでは、両収納体２１、２１を同一形状としているため、合成樹脂成形する場合の成形型が共通となるので、両収納体２１、２１を異なる形状にしたものと比べれば、製造コストが低減されるものの、両収納体２１、２１をそれぞれ別々に成形しているため、成形工程において手間がかかり、この点においては製造コストが低減されておらず、さらに製造コストの低減をはかるための改善の余地があるという課題を有していた。
【０００８】
そこで、この発明は、上記従来の課題を解決するものであり、書類の収納空間を二個所とし、しかも収納体などの構成部材を一体として一度に合成樹脂成形することのできる書類収納ケースを提供することを目的としてなされたものである。
【課題を解決するための手段】
【０００９】
そのため、この発明の書類収納ケースは、枠内に仕切体１Ａを設けた四角枠１の一側部１ａに上蓋２をヒンジ部３を介して連設すると共に、前記四角枠１の他側部１ｂに下蓋４をヒンジ部３を介して連設するようにして、これら四角枠１、上蓋２、ヒンジ部３、下蓋４を合成樹脂の一体成形体とし、前記ヒンジ部３により、前記四角枠１の上方を上蓋２で開閉自在とし、前記四角枠１の下方を下蓋４で開閉自在としたものとし、内部に上収納空間Ｓａおよび下収納空間Ｓｂを形成したものとしている。
【００１０】
そして、この発明の書類収納ケースは、前記四角枠１の内側四隅には、前記仕切体１Ａとの間に位置するように係止爪５を設けたものとしている。
【００１１】
さらに、この発明の書類収納ケースは、前記四角枠１には、両外側部の対称位置に凹部６を設け、これら凹部６にそれぞれ係止部７を設けたものとし、前記上蓋２、下蓋４には、それぞれの両外側部の対称位置に凹部９を設け、これら凹部９にそれぞれ係止体８を設けたものとして、前記係止部７と係止体８とを係脱自在としたものとしている。
【発明の効果】
【００１２】
この発明の書類収納ケースは、以上に述べたように構成されており、書類の収納空間を二個所としたので、書類を区分けして収納したい場合や、多くの書類を収納したい場合などに適したものとなり、しかも収納体などの構成部材を一体として一度に合成樹脂成形したものとしたので、さらなる製造コストの低減をはかることができるものとなった。
【図面の簡単な説明】
【００１３】
【図１】この発明の書類収納ケースの閉じた状態を示す斜視図である。
【図２】図１中のＡ−Ａ線によるこの発明の書類収納ケースの断面図である。
【図３】この発明の書類収納ケースの片側を開いた状態を示す斜視図である。
【図４】この発明の書類収納ケースの展開状態を示す斜視図である。
【図５】この発明の書類収納ケースの展開状態を示す側面図である。
【図６】この発明の書類収納ケースの展開状態を示す平面図である。
【図７】図４中の円で囲んだ部分の拡大した状態を示す斜視図である。
【図８】従来の書類収納ケースの閉じた状態を示す斜視図である。
【図９】従来の書類収納ケースの開いた状態を示す斜視図である。
【発明を実施するための形態】
【００１４】
以下、この発明の書類収納ケースを実施するための形態を、図面に基づいて詳細に説明する。
【００１５】
この発明の書類収納ケースは、図示したように、枠内に仕切体１Ａを設けた四角枠１の一側部１ａに上蓋２をヒンジ部３を介して連設すると共に、前記四角枠１の他側部１ｂに下蓋４をヒンジ部３を介して連設するようにして、これら四角枠１、上蓋２、ヒンジ部３、下蓋４を合成樹脂の一体成形体としている。
【００１６】
そして、この発明の書類収納ケースは、前記ヒンジ部３により、前記四角枠１の上方を上蓋２で開閉自在とし、前記四角枠１の下方を下蓋４で開閉自在としたものとし、内部に上収納空間Ｓａおよび下収納空間Ｓｂを形成したものとしている。
【００１７】
前記四角枠１は、定型サイズの書類より一回り大きく形成したものとしており、必要により角を丸くしたものとしてよく、また透明体として内部が見えるものとしても、不透明として内部が見えないものとしてもよい。ここで、定型サイズの書類とは、Ｂ５版、Ａ４版等のＪＩＳ規格により加工仕上げ寸法が決められた大きさの書類をいう。
【００１８】
前記四角枠１内に設けた仕切体１Ａは、この四角枠１を上下に仕切るようにしており、前記四角枠１と一体成形したものとしているが、前記四角枠１とは別体として成形し、この四角枠１に嵌め込むなどして取り付けるようにしたものとしてもよい。この仕切体１Ａは、孔を設けていない板状体としたり、図示したような網目の孔を設けた板状体などとすることができる。
【００１９】
前記四角枠１の内側四隅には、前記仕切体１Ａとの間に位置するように係止爪５を設けたものとしている。これら係止爪５は、上収納空間Ｓａまたは下収納空間Ｓｂに収納した書類の四隅を係止しておき、上蓋２、下蓋４を勢いよく開閉した場合などに、上収納空間Ｓａまたは下収納空間Ｓｂで書類が乱れないようにしたり、上収納空間Ｓａまたは下収納空間Ｓｂから書類が飛び出さないようにしている。
【００２０】
さらに、前記四角枠１には、両外側部の対称位置に凹部６を設けたものとしており、これら凹部６には、後に述べる上蓋２、下蓋４のそれぞれの両外側部に設けられた係止体８と係脱自在とした係止部７が設けられている。
【００２１】
前記上蓋２、下蓋４は、透明体として内部が見えるものとしても、不透明として内部が見えないものとしてもよく、図示したものでは、それぞれ側部２ａ、側部４ａを設けたものとしている。前記側部２ａ、側部４ａは、必要応じて設ければよいが、これら側部２ａ、側部４ａを設けたものとすることにより、上収納空間Ｓａおよび下収納空間Ｓｂを厚くすることができ、多くの書類を収納することができるものとなる。
【００２２】
さらに、前記上蓋２、下蓋４には、それぞれの両外側部の対称位置に凹部９を設けたものとしており、これら凹部９には、先に述べた四角枠１の凹部６に設けられた係止部７と係脱自在とした前記係止体８が設けられている。なお、これら係止部７および係止体８は、ともに凹部６、９に設けられ、四角枠１および上蓋２、下蓋４の外側部から突出することなく邪魔にならないようにしているが、これら凹部６、９を設けることなく四角枠１および上蓋２、下蓋４の外側部から突出するようにして設けたものとしてもよい。
【００２３】
前記ヒンジ部３は、その部分の合成樹脂の肉厚を薄くして、曲げたり戻したりすることができるものとしており、前記四角枠１および上蓋２、下蓋４と一体成形したものとしている。なお、前記ヒンジ部３は、図１、２に示したように、四角枠１の一側部１ａの上端と上蓋２の側部２ａの下端との間、四角枠１の他側部１ｂの下端と下蓋４の側部４ａの上端との間、それぞれに介在させたものとするのが、幅が狭くなって目立たないものとなるが、四角枠１の側部１ａ、１ｂ、上蓋２の側部２ａ、下蓋４の側部４ａであれば、それぞれの上下端としなくてもよい。
【００２４】
そして、この発明の書類収納ケースは、図４〜６に示した状態で一体成形された後、図５中に矢印で示したように、上蓋２をヒンジ３から上側に回動させ、四角枠１の上側をこの上蓋２で閉じ、上蓋２の係止体８を四角枠１の係止部７に係止させると共に、下蓋４をヒンジ３から下側に回動させ、四角枠１の下側をこの下蓋４で閉じ、下蓋４の係止体８を四角枠１の係止部７に係止させて、図１に示した状態にしている。
【００２５】
以上に述べたように構成されたこの発明の書類収納ケースは、次のようにして使用される。
【００２６】
先ず、この発明の書類収納ケースは、図１に示した状態から、上蓋２の係止体８を四角枠１の係止部７から外し、上蓋２をヒンジ３から回動させ、図３に示したように、上蓋２を開いて、上収納空間Ｓａに書類（図示せず）を収納する。そして、書類を収納した後は、前記したのと同様にして、上蓋２を閉じておく。この場合、収納した書類は、仕切体１Ａに載せた状態でその四隅を、四角枠１の内側四隅に設けた係止爪５に係止させておくことができる。このようにすれば、先に述べたように、上蓋２を勢いよく開閉した場合などにも、上収納空間Ｓａで書類が乱れないようになり、上収納空間Ｓａから書類が飛び出さないようになる。
【００２７】
次に、この発明の書類収納ケースをひっくり返して上下を逆にして、今度は下蓋４の係止体８を四角枠１の係止部７から外し、下蓋４をヒンジ３から回動させ、下蓋４を開いて、下収納空間Ｓｂに書類（図示せず）を収納する。そして、書類を収納した後は、前記したのと同様にして、下蓋４を閉じておく。
【００２８】
このようにして書類が収納されたこの発明の書類収納ケースは、そのまま適宜個所に寝かせて置いたり、書棚等に立てて収納したり、そのまま抱えて携行したりすることができる。
【００２９】
そして、この発明の書類収納ケースから書類を取り出すには、前記したのと同様にして、上蓋２、下蓋４を開閉操作して、上収納空間Ｓａ、下収納空間Ｓｂから、その書類を取り出せばよい。
【００３０】
したがって、この発明の書類収納ケースは、書類の収納空間を上収納空間Ｓａと下収納空間Ｓｂの二個所としたので、書類を区分けして収納したい場合や、多くの書類を収納したい場合などに適したものとなり、しかも四角枠１、上蓋２、下蓋４、仕切体１Ａなどの構成部材を一体として一度に合成樹脂成形したものとしたので、さらなる製造コストの低減をはかることができるものとなった。
【符号の説明】
【００３１】
１  四角枠
１Ａ  仕切体
１ａ  側部
１ｂ  側部
２  上蓋
３  ヒンジ部
４  下蓋
５  係止爪
６  凹部
７  係止部
８  係止体
９  凹部
Ｓａ  上収納空間
Ｓｂ  下収納空間
【図１】
2014065280.tif 000003
【図２】
2014065280.tif 000004
【図３】
2014065280.tif 000005
【図４】
2014065280.tif 000006
【図５】
2014065280.tif 000007
【図６】
2014065280.tif 000008
【図７】
2014065280.tif 000009
【図８】
2014065280.tif 000010
【図９】
2014065280.tif 000011